(57)【特許請求の範囲】
【請求項１】
パッドアッセンブリに取り付けた係止部材をキャリパアーム先端側に取り付けたパッドホルダに形成したアリ溝に嵌合することで、パッドアッセンブリをパッドホルダに組み付けるとともにパッドホルダ側のアリ溝の両端部にボルト等の固定手段によりアンカブロックを固定した鉄道用ディスクブレーキにおいて、前記パッドホルダのアンカブロック対向面に段差を形成し、さらに、前記アンカブロックのパッドホルダ対向面に前記パッドホルダに形成した段差に嵌合する段差を形成し、前記両段差を嵌合して両者を組み付けるとともに、前記両段差を組み付けた時に前記アンカブロックのパッド側の面と前記パッドホルダのパッド側の面とが略同一面となるように形成されていることを特徴とするパッド面圧安定化機構。
【発明の詳細な説明】
【技術分野】
【０００１】
本発明は、鉄道車両用ディスクブレーキのパッド取り付け機構において、アリ溝長さが規定されるパッドホルダにパッドアッセンブリを取り付ける際に生じるアリ溝からはみ出た部分のパッドの面圧を安定させる為のパッド面圧安定化機構に関するものである。
【背景技術】
【０００２】
従来の鉄道車両用ディスクブレーキとして、例えば下記特許文献１に記載されているものが開示されている。
このディスクブレーキの構成を簡単に説明すると、このブレーキは、車輪と一体回転するロータを挟むように対向配置されかつ一対の基端側が台車枠に連結されたキャリパアームと、このキャリパアームの先端に取り付けたパッドホルダと、このパッドホルダに組み付けられるパッドアッセンブリと、制動時に前記ロータが前記パッドアッセンブリに摺動する方向での前記パッドアッセンブリの両端側の位置で、前記パッドホルダに結合されて制動トルクを受けるアンカブロックとを備えている。
前記パッドアッセンブリは同アッセンブリに固定した係止部材を前記キャリパアーム先端側のパッドホルダに形成したアリ溝に嵌合することでパッドホルダに取り付けられており、さらにパッドホルダ側のアリ溝の両端部には前述したアンカブロックがボルト等の固定手段によりパッドホルダに固定される構成となっている。
【０００３】
ところで上記のような従来の鉄道車両用ディスクブレーキのパッド取付機構においては、パッドホルダの上下方向アリ溝の長さが規定されている場合（例えば世界鉄道連合ＵＩＣではパッドアッセンブリに取り付ける係止部材の長さが３２０ｍｍと規定されている）、パッドアッセンブリをパッドホルダ側のアリ溝に組み付けた時にパッドアッセンブリがアリ溝長さ部分より上下にはみ出すことがあり、はみ出したパッド部分では面圧が安定しないという問題がある。
【０００４】
この点をさらに説明すると、図２中（イ）は本発明の実施例に係るパッドホルダの平面図、（ロ）は本発明の実施例に係るパッドアッセンブリの平面図、（ハ）はパッドホルダの側面図である。
各図において示しているパッドアッセンブリ５にはキャリパアームに取り付けたパッドホルダ４のアリ溝８に嵌合する係止部材１１が取り付けられており、この係止部材１１が前述のアリ溝８に嵌合される構成となっている。
ところで、パッドホルダ側のアリ溝長さＡが前述のように規定されている場合に、パッドアッセンブリの係止部材１１をアリ溝８に取り付けると、パッドアッセンブリがアリ溝長さからはみ出す部分Ｂが発生する（図中２中（ロ）参照）。このようにアリ溝８からはみ出した部分は通常アリ溝の両端部に取り付けるアンカブロック６により面圧が与えられるようになっているが、アンカブロックの取り付け状態によってアンカブロックのパッド側の面とパッドホルダのパッド側の面との間に段差が生じることがあり、このような段差が発生するとキャリパアームからの面圧がブレーキパッド全体に安定して付与されないという問題が生じる。
【先行技術文献】
【特許文献】
【０００５】
【特許文献１】特開２０００−１６１４００
【発明の概要】
【発明が解決しようとする課題】
【０００６】
そこで、本発明は、パッドホルダとアンカブロックとを組み付けた際に、パッドホルダのパッド側の面と、アンカブロックのパッド側の面との間に段差が生じないようにするために、パッドホルダのアンカブロック対向面に段差（凹部）を形成し、アンカブロックのパッドホルダ対向面に前記段差（凹部）に嵌合する段差（凸部）を形成し、さらにアンカブロックとパッドホルダのパッド側の面が略同一面となるように前述の凸部、凹部の高さを略等しく形成する。
こうして形成した前記凸部を前記凹部に嵌合して両者を組み付けると、アンカブロックとパッドホルダの接続部においてパッド側の面に段差が発生することがなくなる。また、アンカブロックの枕木方向の位置を規定することによってパッド全体の面圧を安定させることができる。
【課題を解決するための手段】
【０００７】
このため本発明が採用した解決手段は、
パッドアッセンブリに取り付けた係止部材をキャリパアーム先端側に取り付けたパッドホルダに形成したアリ溝に嵌合することで、パッドアッセンブリをパッドホルダに組み付けるとともにパッドホルダ側のアリ溝の両端部にボルト等の固定手段によりアンカブロックを固定した鉄道用ディスクブレーキにおいて、前記パッドホルダのアンカブロック対向面に段差を形成し、さらに、前記アンカブロックのパッドホルダ対向面に前記パッドホルダに形成した段差に嵌合する段差を形成し、前記両段差を嵌合して両者を組み付けるとともに、前記両段差を組み付けた時に前記アンカブロックのパッド側の面と前記パッドホルダのパッド側の面とが略同一面となるように形成されていることを特徴とするパッド面圧安定化機構である。
【発明の効果】
【０００８】
本発明によれば、パッドホルダに凹部（段差）を設け、アンカブロックに凸部（段差）を設け、これらの凹部と凸部とを嵌合することでパッドホルダのパッド側の面と、アンカブロックのパッド側の面との間に大きな段差ができることを防止する。またこの構成により、パッドアッセンブリのはみ出し面にアンカブロックの凸部面を通して圧力がかかり、パッド全体の面圧を安定させることができる。
また、パッドホルダにアンカブロックを組み付けて固定ボルトで固定する際に、パッドホルダとアンカブロックに設けられた凹凸部が嵌合しアンカブロックをネジ締結する際にアンカブロックが固定ボルトの回転で供回りするのを防止できる。
また、振動等の影響でアンカブロックが回転しないようにアンカブロックの回り止めとしても使用できる。
【図面の簡単な説明】
【０００９】
【図１】鉄道車両用ディスクブレーキの正面図、平面図、側面図である。
【図２】（イ）は本発明の実施例に係るパッドホルダ、（ロ）はパッドアッセンブリの平面図、（ハ）はパッドホルダの側面図である。
【図３】図２（ハ）の要部拡大図である。
【発明を実施するための形態】
【００１０】
本発明は、パッドホルダに凹部（段差）を設け、アンカブロックに凸部（段差）を設け、これらの凹部と凸部とを嵌合することでパッドホルダのパッド側の面と、アンカブロックのパッド側の面との間に大きな段差ができることを防止する。この構成により、パッドアッセンブリのはみ出し面にアンカブロックの凸部面を通して圧力がかかり、パッド全体の面圧を安定させることができる。
【００１１】
以下、本発明に係るパッド面圧安定化機構の実施例を図面に基づいて説明する。
図１は鉄道車両用ディスクブレーキの正面図、側面図、平面図、図２中（イ）はパッドホルダの平面図、（ロ）はパッドホルダに取り付けるパッドアッセンブリの平面図、（ハ）はパッドホルダの側面図、図３はアンカブロックとパッドホルダとの結合部の要部拡大側面図である。
【００１２】
図１中、１はサポート、２はボディ、３はキャリパアーム、４はパッドホルダ、５はパッドアッセンブリ、６はアンカブロック、７は固定ボルトであり、鉄道車両用ディスクブレーキは車輪と一体回転するロータ（不図示）を挟むように図１に示すように対向してキャリパアーム３が配置されており、このキャリパアーム３の先端部にパッドホルダ４が取り付けられている。このパッドホルダ４には後述するアリ溝８が形成されており、このアリ溝８を介してパッドアッセンブリ５が取り付けられている。そして制動時に前記ロータが前記ブレーキパッドに摺動する方向での前記パッドホルダ４のアリ溝の両端部に、パッドホルダ４を介して前記キャリパアーム３に結合されて制動トルクを受けるアンカブロック６が組み付けられている。
【００１３】
図２において、パッドホルダ４にはアリ溝長さがＡであるアリ溝８が形成されており、またパッドホルダ４の両端部にはアンカブロック６が固定ボルト７によって固定される。図３においてパッドホルダ４のアンカブロック６と対向する面には段差（凹部）９が形成されており、またアンカブロック６のパッドホルダ４と対向する面には、前記段差９に嵌合する段差（凸部）１０が形成されている。この二つの段差９、１０は高さ方向の寸法Ｃ、Ｄが略同じであり、両者を組み付けた時に、パッド面Ｅ、Ｆに段差が生じないような寸法となっている。図３に示す例では、前記段差は、パッドホルダの両側に形成されているが、パッドホルダの全幅に形成してもよく、この幅は設計時において任意に変更することが可能である。
【００１４】
一方、パッドアッセンブリ５には前記アリ溝８に嵌合する係止部材１１が取り付けられている（図２（ロ）参照）。係止部材１１の長さは、前述したアリ溝８の長さＡ（図２（イ）参照）に略一致している。
パッドアッセンブリとパッドホルダとは、パッドアッセンブリ側の係止部材１１を前記アリ溝８に嵌合し、その後、前記アンカブロック６を固定ボルト７によって固定することでパッドアッセンブリ５をパッドホルダ４に取り付けることができる。
【００１５】
この時パッドホルダ４とアンカブロック６を組み付けた状態の時には、それぞれに形成した段差寸法がＣ≒Ｄ（図３参照）としてあることから、両者を組み付けた際に、パッド面Ｅ、Ｆに段差が生じることはない。したがって、ブレーキ作動時にパッドホルダ側からの押圧力が直接パッド面に、あるいはパッドホルダの段差、アンカブロックの段差を介してアリ溝からはみ出したパッド面Ｂに略均一に作用する。
こうしてアリ溝からはみ出したパッドアッセンブリのパッド部Ｂを効率良く押圧することができる。
なお、前述した段差の幅、形状は上述した段差部の機能を達成できるものであれば適宜選定することができる。
以上、本発明の実施例について説明してきたが、本発明の趣旨の範囲内で、適宜変更することができる。実施例に記載の諸元はあらゆる点で単なる例示に過ぎず限定的に解釈してはならない。
【産業上の利用可能性】
【００１６】
本発明は、ブレーキを搭載する車両分野、特に鉄道用ディスクブレーキに利用することができる。
【符号の説明】
【００１７】
１          サポート
２          ボディ
３          キャリパアーム
４          パッドホルダ
５          パッドアッセンブリ
６          アンカブロック
７          固定ボルト
８          アリ溝
９、１０    段差
１１        係止部材
Ａ          アリ溝長さ
Ｂ          アリ溝からはみ出したパッド部分
Ｃ、Ｄ      段差の高さ方向寸法
Ｅ、Ｆ      パッド面
【図１】
0005399300.tif 000002
【図２】
0005399300.tif 000003
【図３】
0005399300.tif 000004